(57)【要約】【課題】 包装容積を縮小して持ち運びを容易にしながら、少ない部品構成として組み立てを簡便にした組み立て式棚を提供する。【解決手段】所定の箇所に貫通孔を有する複数の棚板２と、上下の棚板２間の間隔を規制する長さを有し、複数の棚板２の貫通孔と同じ寸法の貫通孔を長手方向に設けた外部支柱５と、この外部支柱５の貫通孔及び棚板２の貫通孔に挿入され、外部支柱５及び複数の棚板２の間を貫通し、周囲にネジ溝が形成された内部支柱と、棚板２面から突出した内部支柱のネジ溝部分に締め付け用のナット７、８が設けられ、複数の棚板２間が多段に締め付け構成されてなる。【選択図】図１
0003195205.tif 000002
【実用新案登録請求の範囲】
【請求項１】
所定の箇所に貫通孔を有する複数の棚板と、
上下の前記棚板間の間隔を規制する長さを有し、前記複数の棚板の前記貫通孔と同じ寸法の貫通孔を長手方向に設けた外部支柱と、
前記外部支柱の前記貫通孔及び前記棚板の前記貫通孔に挿入され、前記外部支柱及び前記複数の棚板の間を貫通し、周囲にネジ溝が形成された内部支柱と、
前記棚板面から突出した前記内部支柱の前記ネジ溝部分に締め付け用のナットが設けられ、複数の前記棚板間が多段に締め付け構成されてなることを特徴とする組み立て式棚。
【請求項２】
前記棚板の前記貫通孔の周囲であって、前記棚板の両面部に前記外部支柱の外形が陥入するための溝が設けられていることを特徴とする請求項1に記載の組み立て式棚。
【請求項３】
前記内部支柱は、複数に分割されており、内部支柱接続用ナットにより連結されていることを特徴とする請求項1または2に記載の組み立て式棚。
【考案の詳細な説明】
【技術分野】
【０００１】
本考案は、組み立て式棚に関し、特に組み立てを容易にできるようにした組み立て式棚に関する。
【背景技術】
【０００２】
書棚や飾り物をおく棚は、一般的に購入時は分割して包装されており、購入後に組み立てて使用することが多い。そして、複数の段で構成される場合には、部屋の雰囲気や好みに合わせて段数を任意に変更できるものが多い。このような組み立て式棚は、棚板を上下方向に多段に積み重ね、棚板の縁部を垂直に配設される支柱に連結部材を用いて棚板と支柱とを連結するという方式が多く用いられている。
【０００３】
しかしながら、従来方式の組み立て式棚は、棚板と支柱とを連結するための作業が煩わしいという課題があった。このような課題を解決するために、多段に積み重ねられる棚板を容易に組み立て及び分離できるようにし、かつ組み立て後の形態を安定的に保持可能な組み立て式棚が開示されている。この開示例の組み立て式棚は、上面が開放され、外側縁に二つ以上の中空形状の締結部が形成され、上下方向に複数積み重ねられる棚板と、これらの各棚板の締結部間に立設され、上下方向に貫通された中空形状の支柱と、各支柱の上端及びその支柱の上側に位置する棚板の締結部の下端に組み合わされることで相互間を連結し、上端に螺旋部を有している上側連結部材と、各支柱の下端及びその支柱の下側に位置する棚板の締結部上端に組み合わされることで相互間を連結し、下端には上側連結部材の螺旋部に対応して結合するための螺旋部が形成されている下側連結部材とから構成されている（例えば、特許文献１参照）。
【０００４】
また同様に、分解・組み立てが可能で、コンパクトかつ低廉に運搬でき、１段毎の水平面内でのごみの分別も自在にできる積上げ式ごみ収納棚も開示されている。この収納棚は、多数の鋲部材が設置された水平フレームを、適宜の長さを有する鉛直状の連結脚により複数段に積み上げて構成するとともに、水平フレームに設置された多数の鋲部材のいくつかを選択使用してごみ袋の上縁部の周囲を係止バンドにより鋲部材との間にて挟持するように構成している（例えば、特許文献２参照）。
【先行技術文献】
【特許文献】
【０００５】
【特許文献１】特開２００８−１２６０５７号公報
【特許文献２】特開２００６−２９８５９４号公報
【考案の概要】
【考案が解決しようとする課題】
【０００６】
特許文献１及び特許文献２に開示された発明においては、支柱は棚枠の段ごとに分割されるので、包装時に支柱により包装形態が制約を受けず包装容積は嵩張らず、持ち運びは容易になる。しかしながら、いずれにおいても部品点数が多く、組み立てが複雑であるという課題を有している。
本考案は、上記従来の組み立て式棚における問題点を解決するために考案したものであり、包装容積を可能な限り縮小して持ち運びを容易にしながら、少ない部品構成として組み立てを簡便にした組み立て式棚を提供することを目的とする。
【課題を解決するための手段】
【０００７】
上記課題を解決するために本考案の組み立て式棚は、所定の箇所に貫通孔を有する複数の棚板と、上下の棚板間の間隔を規制する長さを有し、複数の棚板の貫通孔と同じ寸法の貫通孔を長手方向に設けた外部支柱と、この外部支柱の貫通孔及び棚板の貫通孔に挿入され、外部支柱及び複数の棚板の間を貫通し、周囲にネジ溝が形成された内部支柱と、棚板面から突出した内部支柱のネジ溝部分に締め付け用のナットが設けられ、複数の棚板間が多段に締め付け構成されてなる。
この場合において、棚板の貫通孔の周囲であって、棚板の両面部に外部支柱の外形が陥入するための溝が設けられていてもよい。また、内部支柱は複数に分割されており、内部支柱接続用ナットにより連結されている構造としてもよい。
【考案の効果】
【０００８】
このような構造とすることによって、従来に比べて部品点数が少なくなるので組み立てが容易になるという効果が得られる。また、外部支柱は棚板間の間隔を規制する程度の長さであるので、外部支柱により包装形態の長さが制約を受けることがない。さらに、内部支柱については、棚板の長さ以上に長くなる場合には内部支柱接続用ナットにより連結することで、棚板よりも短くすることができる。したがって、包装形態の長さ方向は棚板の長さにより決まり、包装形態の大きさを最小にして運搬を容易にすることができるという効果も得られる。
また、棚板間の固定は内部支柱の両側をネジ止めするだけであるので組み立ても容易である。
【図面の簡単な説明】
【０００９】
【図１】本考案の実施例１に係る組み立て式棚の斜視図である。
【図２】同実施例に係る組み立て式棚の組み立て構成を示すための分解斜視図である。
【図３】同実施例に係る組み立て式棚の内部支柱が挿入された状態の外部支柱の形状を示す図で、（ａ）は外部支柱の斜視図、（ｂ）は（ａ）に示すａ−ａ断面図、（ｃ）は（ａ）に示すｂ−ｂ断面図である。
【図４】同実施例に係る組み立て式棚の内部支柱を連結するための内部支柱接続ボルトと内部支柱の構造を示す拡大断面図である。
【図５】同実施例に係る組み立て式棚の棚板の形状を示す図で、（ａ）は棚板の一部である天板の平面図、（ｂ）は（ａ）に示すａ−ａ断面図、（ｃ）はＡ部の拡大断面図、（ｄ）は天板を除く棚板の平面図、（ｅ）はｂ−ｂ断面図、（ｆ）はＢ部の拡大断面図である。
【図６】同実施例に係る組み立て式棚の内部支柱の連結状態を示す部分断面図である。
【図７】本考案の実施例２にかかる組み立て式棚の斜視図である。
【図８】本考案の実施例３にかかる組み立て式棚の斜視図である。
【図９】本考案の実施例４にかかる組み立て式棚の斜視図である。
【図１０】本考案の実施例５にかかる組み立て式棚の斜視図である。
【図１１】本考案の組み立て式棚に用いる変形例の棚板の平面図である。
【実施例１】
【００１０】
以下、本考案の実施例１に係る組み立て式棚について図面を参照しながら詳細に説明する。図１は、同実施例に係る組み立て式棚の斜視図である。図２は、同実施例に係る組み立て式棚の組み立て構成を示すための分解斜視図である。図3は、同実施の形態に係る組み立て式棚の内部支柱が挿入された状態の外部支柱領域の構造を示す図で、（ａ）は外部支柱の斜視図、（ｂ）は（ａ）に示すａ−ａ断面図、（ｃ）は（ａ）に示すｂ−ｂ断面図である。図4は、同実施例に係る組み立て式棚の内部支柱を連結するための内部支柱接続ボルトと内部支柱の構造を示す拡大断面図である。図5は、同実施例に係る組み立て式棚の棚板の形状を示す図で、（ａ）は棚板の一部である天板の平面図、（ｂ）は（ａ）に示すａ−ａ断面図、（ｃ）はＡ部の拡大断面図、（ｄ）は天板を除く棚板の平面図、（ｅ）はｂ−ｂ断面図、（ｆ）はＢ部の拡大断面図である。図6は、同実施例に係る組み立て式棚の内部支柱の連結状態を示す部分断面図である。
以下、これらの図を用いて本実施例に係る組み立て式棚の構造及び組み立て方法について詳細に説明する。
本実施例に係る組み立て式棚１は、所定の箇所に貫通孔３ａ、４ａを有する複数の棚板２と、上下の棚板２間の間隔を規制する長さを有
し、長手方向の中心部に複数の棚板２の貫通孔３ａ、４ａと同じ寸法の貫通孔５ｃを設けた外部支柱５と、この外部支柱５の貫通孔５ｃ及び棚板２の貫通孔３ａ、４ａに挿入され、外部支柱５及び複数の棚板２の間を貫通し、周囲にネジ溝が形成された内部支柱６と、棚板２の表面から突出した内部支柱６のネジ溝部分に締め付け用のナット７、８が設けられ、複数の棚板２間が多段に締め付け構成されてなる。
本実施例では、外部支柱５の外形が四角形であるので、この外部支柱５を正確に位置決めするために、図５（ｄ），（ｅ）、（ｆ）に示すように棚板２の一部である中板４の貫通孔４ａの周囲であって、中板４の両面部に外部支柱３の外形が陥入するための溝４ｂ、４ｃが設けられている。また、棚板２の一部である天板３については、図５（ａ）、（ｂ），（ｃ）に示すように一方の表面にのみ外部支柱３の外形が陥入するための溝３ｂが設けられている。
さらに、本実施例では、図１，２からわかるように棚板２が5段構成となっているので、内部支柱６は上側内部支柱６ａと下側内部支柱６ｂに分割されており、これらを内部支柱接続用ナット６ｃにより連結して用いている。このように連結構造とすることにより、組み立て前においてはコンパクトに包装することができる。
以下、本実施例に係る組み立て式棚１の組み立て方法について説明する。図１と図２に示すように、本実施例の組み立て式棚１は５段構成になっており、棚板２は一番上が天板３で、それ以外は同一形状からなる中板４からなる。図５に示すように、天板３と中板４との外形寸法は同じであり、天板３は外部支柱５を陥入するための溝３ｂが片面にのみ設けられているのに対して、中板４では両面に溝４ｂ、４ｃが設けられていることが異なる。
また、本実施例に係る組み立て式棚１では、外部支柱５は長さ方向に２分割されており、分割外部支柱板５ａ、５ｂの中央部に溝が設けられ、分割外部支柱板５ａ、５ｂをはりつけた時に貫通孔５ｃが構成されるようになっている。このような構造とすることにより、貫通孔５ｃを容易に形成することができる。ただし、外部支柱５は、このような構造に限定されることはなく、四角柱状の棒の中心部をドリル等で穴をあけて貫通孔を設けてもよい。
なお、中板５の三方に長手方向板枠９と短手方向板枠１０とを陥入するための溝５ｄ、５ｅが互いに直交するように設けられている。ただし、このような溝５ｄ、５ｅを設けることは必須ではなく、設けなくても本考案の組み立て式棚を構成することができる。さらに、外部支柱５は本実施例に係る組み立て式棚１では四角柱形状としたが、丸棒形状であってもよい。
図４と図６を参照して、内部支柱６について説明する。多段構成として棚板２の長さよりも内部支柱６が長くなる場合には、上側内部支柱６ａと下側内部支柱６ｂに２分割し、これらを内部支柱接続用ナット６ｃにより連結すると、包装時に内部支柱６が包装形状を妨げることがなく、コンパクトな包装形状とすることができる。
本実施例に係る組み立て式棚１を組み立てる場合には、まず内部支柱６の下側部分のネジ部にナット８を固定し、その後中板４を入れ、次に外部支柱５をそれぞれ内部支柱６に挿入し、中板４の溝４ｂに一部を陥入する。同時に、長手方向板枠９と短手方向板枠１０も外部支柱５の溝５ｄ、５ｅに陥入する。さらに、次の中板４を入れ込み、外部支柱５を挿入する手順を繰り返し、最後に天板３を入れ込んだ後、ナット７により固定すれば組み立てが完了する。
このように本実施例に係る組み立て式棚１は、ナット７、８を締め付けるのみで組み立てることができ、短時間に、誰でも組み立てることができる。
【実施例２】
【００１１】
本考案の実施例2に係る組み立て式棚について、図７を用いて説明する。本実施例に係る組み立て式棚２０は、所定の箇所に貫通孔（図示せず）を有する複数の棚板２１と、上下の棚板２１間の間隔を規制する長さを有し、長手方向の中心部に複数の棚板２１の貫通孔と同じ寸法の貫通孔（図示せず）を設けた外部支柱２４と、この外部支柱２４の貫通孔及び棚板２１の貫通孔に挿入され、外部支柱２４及び複数の棚板２１の間を貫通し、周囲にネジ溝が形成された内部支柱（図示せず）と、棚板２１の表面から突出した内部支柱のネジ溝部分に締め付け用のナット２５が設けられ、複数の棚板２１間が多段に締め付け構成されてなる。
図７からわかるように、本実施例に係る組み立て式棚２０については、棚板２１は天板２２と中板２３からなるが、両方ともに円形状である。そして、棚板２１は上方向のものほど直径が小さくなり、全体として円錐台形状をしている。また、外部支柱２４と内部支柱（図示せず）とは1本で、外部支柱24も上方向のものほど直径を小さくしている。ただし、内部支柱は同一形状で形成されている。
このような構造とした組み立て式棚２０は、植木鉢を置いたり飾りものを置いたり、あるいは靴を置くなどの場合に好適である。
【実施例３】
【００１２】
本考案の実施例３に係る組み立て式棚について、図８を用いて説明する。本実施例に係る組み立て式棚３０は、所定の箇所に貫通孔（図示せず）を有する複数の棚板３１と、上下の棚板３１間の間隔を規制する長さを有し、長手方向の中心部に複数の棚板３１の貫通孔と同じ寸法の貫通孔（図示せず）を設けた外部支柱３４と、この外部支柱３４の貫通孔及び棚板３１の貫通孔に挿入され、外部支柱３４及び複数の棚板３１の間を貫通し、周囲にネジ溝が形成された内部支柱（図示せず）と、棚板３１の表面から突出した内部支柱のネジ溝部分に締め付け用のナット３５、３６が設けられ、複数の棚板３１間が多段に締め付け構成されてなる。
図８からわかるように、本実施例に係る組み立て式棚３０については、棚板３１は天板３２と中板３３からなる。本実施例に係る組み立て式棚３０が、実施例1に係る組み立て式棚１と異なる点は外部支柱３４と内部支柱を棚板３１の中央部よりに配置していることである。さらに、長手方向板枠と短手方向板枠を設けていないことである。それ以外については同じであるので詳しい説明は省略する。
このような構造とした組み立て式棚３０は、飾り棚として好適である。
【実施例４】
【００１３】
本考案の実施例４に係る組み立て式棚について、図９を用いて説明する。本実施例に係る組み立て式棚４０は、所定の箇所に貫通孔（図示せず）を有する複数の棚板４１と、上下の棚板４１間の間隔を規制する長さを有し、長手方向の中心部に複数の棚板４１の貫通孔と同じ寸法の貫通孔（図示せず）を設けた外部支柱４４と、この外部支柱４４の貫通孔及び棚板４１の貫通孔に挿入され、外部支柱４４及び複数の棚板４１の間を貫通し、周囲にネジ溝が形成された内部支柱（図示せず）と、棚板４１の表面から突出した内部支柱のネジ溝部分に締め付け用のナット４５、４６が設けられ、複数の棚板４１間が多段に締め付け構成されてなる。
図９からわかるように、本実施例に係る組み立て式棚４０については、棚板４１は天板４２と中板４３からなる。本実施例に係る組み立て式棚４０では、外部支柱４４が平板形状であり、かつ両側のみでなく中央部にも設けてあることが特徴である。内部支柱は、外部支柱４４に設けた貫通孔を通して棚板４１間を貫通し、ナット４５，４６により全体が固定されている。
このような構造とした組み立て式棚４０は、全体として非常に頑丈な作りとなるので、重量物、例えば本棚として好適である。
【実施例５】
【００１４】
本考案の実施例５に係る組み立て式棚について、図１０を用いて説明する。本実施例に係る組み立て式棚５０は、所定の箇所に貫通孔（図示せず）を有する複数の棚板５１と、上下の棚板５１間の間隔を規制する長さを有し、長手方向の中心部に複数の棚板５１の貫通孔と同じ寸法の貫通孔（図示せず）を設けた外部支柱５４と、この外部支柱５４の貫通孔及び棚板５１の貫通孔に挿入され、外部支柱５４及び複数の棚板５１の間を貫通し、周囲にネジ溝が形成された内部支柱（図示せず）と、棚板５１の表面から突出した内部支柱のネジ溝部分に締め付け用のナット５５、５６が設けられ、複数の棚板５１間が多段に締め付け構成されてなる。
図１０からわかるように、本実施例に係る組み立て式棚５０については、棚板５１は天板５２と中板５３からなる。本実施例に係る組み立て式棚５０では、最下段の中板５３は天板５２と同一形状で、同一位置に配置されているが、中断の中板５３は違い棚構成となっている。それに伴い、外部支柱５４及び内部支柱もそれぞれの間隔に合わせた長さに設定されている。
このような構造とした組み立て式棚３０は、飾り棚として好適である。
以上のように、本考案の組み立て式棚について実施例１から実施例５の形態まで種々の構成について説明したが、本考案はこれらの構成に限定されるものではない。例えば、図１１に示すように棚板６０のように貫通孔６０ａを棚板６０の全面に設けてもよい。このような棚板６０とすれば、外部支柱と内部支柱を配置するときの自由度が増し、特に実施例３から実施例５の形態の組み立て式棚を構成するときに容易にできる。
【産業上の利用可能性】
【００１５】
本考案の組み立て式棚は、飾り棚や本棚として家庭用や店舗での陳列用などの分野に有用である。
【符号の説明】
【００１６】
１、２０、３０、４０、５０  組み立て式棚
２、２１、３１、４１、５１、６０  棚板
３、２２、３２、４２、５２  天板
３ａ、４ａ、６０ａ  貫通孔
３ｂ、４ｂ、４ｃ、５ｄ，５ｅ  溝
４、２３、３３、４３、５３  中板
５、２４、３４、４４、５４  外部支柱
５ａ、５ｂ  分割外部支柱板
５ｃ  貫通孔
６  内部支柱
６ａ  上側内部支柱
６ｂ  下側内部支柱
６ｃ  内部支柱接続用ナット
７、８、２５、３５、４５、４６、５５、５６  ナット
９  長手方向板枠
１０  短手方向板枠
【図１】
0003195205.tif 000003
【図２】
0003195205.tif 000004
【図３】
0003195205.tif 000005
【図４】
0003195205.tif 000006
【図５】
0003195205.tif 000007
【図６】
0003195205.tif 000008
【図７】
0003195205.tif 000009
【図８】
0003195205.tif 000010
【図９】
0003195205.tif 000011
【図１０】
0003195205.tif 000012
【図１１】
0003195205.tif 000013